(57)【要約】【課題】引戸が閉位置に移動すると戸枠側に引き寄せる引戸装置を、駆動源として駆動手段等を用いることなく、簡略でコンパクトな構成により廉価に実現する。【解決手段】引戸が閉位置に移動したとき、上部ガイドＧ１・Ｇ２の案内ローラ３０・３５の双方が引戸レールＬの案内レール部１５ｃの段差部２０と対向し、すると、そのとき、引戸は、開口部Ｓの開閉方向と平行に軸支した横軸ｍを支点に、開口部の奥行方向に回動可能に引戸レールに寄り掛っていると共に、引戸の下部側では、下部ガイドＧ３の戸先側ガイドローラ５０がガイド溝１１に係合する一方、戸尻側ガイドローラ５５がガイド溝から抜け出て外れた位置にあるので、開口部の高さ方向に起立したガイドリンク４０の縦軸ｎを支点に、開口部の奥行方向にも回動可能であるため、自重により、横軸と縦軸を支点に奥行方向戸枠側にスイングして引き寄せられる構成になっている。【選択図】          図１
2011122310.tif 000002
【特許請求の範囲】
【請求項１】
下端面にガイド溝を長さ方向に凹設した引戸を、戸枠の上枠部に敷設した引戸レールで開閉方向に移動自在に釣支し、該引戸が戸尻側の壁と重なる開位置から直進して閉位置に移動すると、該引戸を前記戸枠側に引き寄せて開口部を閉止する引戸装置であって、
戸車を回転自在に枢支して前記引戸に搭載した戸車ユニットと、案内ローラを回転自在に枢支して前記引戸の戸先側と戸尻側に一定の間隔を置いて搭載した上部ガイドと、前記引戸の下部側を開閉方向に案内する下部ガイドと、を備え、
前記引戸レールは、前記戸車を係合させる走行レール部と平行に案内レール部を設け、該案内レール部に、前記引戸が閉位置にあるとき前記戸先側と戸尻側の案内ローラの双方が入り込める長さの段差部を設けて一段低い段差を形成し、該段差部を前記開口部から離れる側に向けて前記上枠部に固定する一方、
前記戸車ユニットは、前記引戸上で開閉方向に軸支した横軸を支点として前記開口部の開閉方向と直交する奥行方向に回動自在に枢着し、
前記上部ガイドは、前記引戸を前記引戸レールで釣支したとき、外周面が前記案内レール部に当接する位置に前記案内ローラを枢支し、
前記下部ガイドは、前記ガイド溝に係合させるガイドローラを両端に回転自在に枢支したガイドリンクを、縦軸を支点として回動自在に前記床面に枢着し、該縦軸を、前記引戸が閉位置に移動すると、戸先側の前記ガイドローラが前記ガイド溝に係合する一方、戸尻側の前記ガイドローラが前記ガイド溝から抜け出て外れる支点位置において、前記開口部の高さ方向に立設してなることを特徴とする、引戸装置。
【請求項２】
前記引戸レールは、戸先側を下向きに傾斜させて前記戸枠の上枠部に固定してなることを特徴とする、請求項１に記載の引戸装置。
【請求項３】
前記引戸は、弾性を有するシール材を、その先端片を下端面から突出させた状態で付設し、閉位置に移動したとき、該シール材で床面との間の隙間を塞いでなることを特徴とする、請求項２に記載の引戸装置
【請求項４】
前記引戸には、床面との間の隙間を塞ぐシール手段を前記ガイド溝に内設し、
該シール手段は、弾性を有するシール材と、該シール材を前記引戸の下端面から先端片が突出した状態で吊持する吊持部材と、前記シール材を前記ガイド溝から突出する方向に常時付勢する付勢ばねと、前記引戸が閉位置にあるとき、該引戸と前記床面との間の隙間に合わせて前記シール材の吊持高さ位置を調整する高さ調整具を備えてなることを特徴とする、請求項２に記載の引戸装置。
【発明の詳細な説明】
【技術分野】
【０００１】
本発明は、病院・音楽ホール・劇場等の気密性が必要な建物の出入口を開閉する引戸に適用し、特に閉時は出入口を密閉するため、引戸が閉位置に移動すると、更に戸枠側に引き寄せて閉止する引戸装置に関する。
【背景技術】
【０００２】
従来、この種の引戸装置の中には、例えば戸枠の上枠部に釣支した引戸の上端部を戸枠側に押す押圧装置と、更に引戸全体を戸枠側に引き寄せる複数の引き寄せ装置を備え、閉時、引戸が閉位置に至ると、押圧装置を作動し、その駆動部のパワーシリンダ等で枢止アームを回動して引戸の上端部を戸枠側に押し、次いで、引き寄せ装置を作動してモータを駆動し、引き寄せアームを回動して縦枠部側の係止ピンに係止させてから、ラックピニオン機構を介して引き寄せアームを戸枠側に引き寄せる構造にしたものがある（特許文献１参照）。
【先行技術文献】
【特許文献】
【０００３】
【特許文献１】特開平９−２４２４１９号公報
【発明の概要】
【発明が解決しようとする課題】
【０００４】
ところが、上述した従来の引戸装置では、押圧装置と引き寄せ装置にそれぞれ駆動源としてパワーシリンダやモータ等の駆動手段が別途に必要であり、しかも、引き寄せ装置には、駆動用のモータの他にラックピニオン機構等の駆動伝達手段を個別に備え、そのような引き寄せ装置を、戸先側の縦枠部と引戸の縦框間に複数組も組み付けることが必要な構成であるため、全体に構造が複雑で大型であり、それだけコストも著しく高くなるという課題があった。
【０００５】
そこで、本発明の目的は、引戸が閉位置に移動すると戸枠側に引き寄せる引戸装置を、駆動源として駆動手段等を用いることなく、簡略でコンパクトな構成により廉価に実現することにある。
【課題を解決するための手段】
【０００６】
本発明の目的を達成すべく、請求項１に記載の発明は、たとえば以下に示す図示実施の形態のとおり、下端面にガイド溝１１を長さ方向に凹設した引戸Ｄを、戸枠Ｃの上枠部１０ａに敷設した引戸レールＬで開閉方向Ｘ・Ｙに移動自在に釣支し、該引戸Ｄが戸尻側の壁１０ｂと重なる開位置から直進して閉位置に移動すると、該引戸Ｄを前記戸枠Ｃ側に引き寄せて開口部Ｓを閉止する引戸装置Ａであって、戸車２４・２５を回転自在に枢支して前記引戸Ｄに搭載した戸車ユニットＴ１・Ｔ２と、案内ローラ３０・３５を回転自在に枢支して前記引戸Ｄの戸先側と戸尻側に一定の間隔を置いて搭載した上部ガイドＧ１・Ｇ２と、前記引戸Ｄの下部側を開閉方向Ｘ・Ｙに案内する下部ガイドＧ３と、を備え、前記引戸レールＬは、前記戸車２４・２５を係合させる走行レール部１５ｂと平行に案内レール部１５ｃを設け、該案内レール部１５ｃに、前記引戸Ｄが閉位置にあるとき前記戸先側と戸尻側の案内ローラ３０・３５の双方が入り込める長さの段差部２０を設けて一段低い段差ｈを形成し、該段差部２０を前記開口部Ｓから離れる側に向けて前記上枠部１０ｂに固定する一方、前記戸車ユニットＴ１・Ｔ２は、前記引戸Ｄ上で開閉方向Ｘ・Ｙに軸支した横軸ｍを支点として前記開口部Ｓの開閉方向Ｘ・Ｙと直交する奥行方向Ｚに回動自在に枢着し、前記上部ガイドＧ１・Ｇ２は、前記引戸Ｄを前記引戸レールＬで釣支したとき、外周面が前記案内レール部１５ｃに当接する位置に前記案内ローラ３０・３５を枢支し、前記下部ガイドＧ３は、前記ガイド溝１１に係合させるガイドローラ５０・５５を両端に回転自在に枢支したガイドリンク４０を、縦軸ｎを支点として回動自在に前記床面Ｆに枢着し、該縦軸ｎを、前記引戸Ｄが閉位置に移動すると、戸先側の前記ガイドローラ５０が前記ガイド溝１１に係合する一方、戸尻側の前記ガイドローラ５５が前記ガイド溝１１から抜け出て外れる支点位置において、前記開口部Ｓの高さ方向に立設してなることを特徴とする。
【０００７】
請求項２に記載の発明は、請求項１に記載の引戸装置Ａにおいて、たとえば以下に示す図示実施の形態のとおり、前記引戸レールＬは、戸先側を下向きに傾斜させて前記戸枠Ｃの上枠部１０ｃに固定してなることを特徴とする。
【０００８】
請求項３に記載の発明は、請求項２に記載の引戸装置Ａにおいて、たとえば以下に示す図示実施の形態のとおり、前記引戸Ｄは、弾性を有するシール材４５を、その先端片４５ａを下端面から突出させた状態で付設し、閉位置に移動したとき、該シール材４５で床面Ｆとの間の隙間を塞いでなることを特徴とする。
【０００９】
請求項４に記載の発明は、請求項２に記載の引戸装置Ａにおいて、たとえば以下に示す図示実施の形態のとおり、前記引戸Ｄには、床面Ｆとの間の隙間を塞ぐシール手段Ｒを前記ガイド溝１１に内設し、該シール手段Ｒは、弾性を有するシール材６５と、該シール材６５を前記引戸Ｄの下端面から先端片４５ａが突出した状態で吊持するワイヤー６６のような吊持部材と、前記シール材６５を前記ガイド溝１１から突出する方向に常時付勢する付勢ばね６７と、前記引戸Ｄが閉位置にあるとき、該引戸Ｄと前記床面Ｆとの間の隙間に合わせて前記シール材６５の吊持高さ位置を調整する高さ調整具６８・６９を備えてなることを特徴とする。
【発明の効果】
【００１０】
請求項１に記載の発明によれば、引戸が閉位置に移動したとき、引戸の上部側では、上部ガイドの案内ローラの双方が引戸レールの案内レール部の段差部と対向し、すると、そのとき、引戸は、開口部の開閉方向と平行に軸支した横軸を支点として、開口部の奥行方向に回動可能に引戸レールに寄り掛っていると共に、引戸の下部側では、下部ガイドの戸先側ガイドローラがガイド溝に係合する一方、戸尻側ガイドローラがガイド溝から抜け出て外れた位置にあるので、開口部の高さ方向に起立したガイドリンクの縦軸を支点として、開口部の奥行方向にも回動可能であるため、自重により、これら横軸と縦軸を支点として開口部の奥行方向戸枠側にスイングして引き寄せられ、これにより、引戸が閉位置に移動すると引戸を戸枠側に引き寄せる引戸装置を、モータ等の駆動手段や駆動伝達手段等を用いることなく、簡略でコンパクトな構成により廉価に提供することができる。
【００１１】
請求項２に記載の発明によれば、引戸レールを、戸先側を下向きに傾斜させて戸枠の上枠部に固定し、何ら駆動手段を備えず、引戸の自重を利用した簡略な構成により、閉時、引戸を引戸レールの傾きに従い、閉方向に傾動させて開口部を自動的に閉止することができる。
【００１２】
請求項３に記載の発明によれば、引戸レールを、戸先側を下向きに傾斜させて戸枠の上枠部に固定する一方、引戸には、シール材を、その先端片が下端面から突出した状態で付設するため、引戸が引戸レールの傾きに従って傾動する途中では、出っ張った先端片が床面に当って移動抵抗になることがなく、一方で、閉位置に至ると同時に、突出した先端片が床面に当たり、引戸と床面との間の隙間を確実に塞ぐことができると共に、閉時、引戸が閉位置に到達したことを検知する検知機構や、検知結果に基づいてシール材を昇降させるシャッタ機構などの複雑な機構を必要とすることがなく、シール材を付設するだけの簡略な構成により極めて廉価に引戸の下部の気密性を実現させることができる。
【００１３】
請求項４に記載の発明によれば、引戸を吊り込むときは、予め、閉位置における引戸と床面間の隙間に合わせてシール材の吊持高さ位置を調整しておき、後の使用時に、引戸が引戸レールの傾きに従って閉位置に移動したときは、先端片が床面に当って引戸と床面間の隙間が塞がれるようにする構成であるため、引戸を吊り込む部屋等によって床面との間の隙間に大きさの違いがあっても、そのバラツキに何ら関係なく、引戸の閉位置では床面との間の隙間を確実にシールすることができる。
【図面の簡単な説明】
【００１４】
【図１】本発明の引戸装置を適用した引戸構造体を引戸の引寄せ閉状態で示す斜視図である。
【図２】引戸レールを示す斜視図である。
【図３】戸車ユニットを示す分解斜視図である
【図４】（Ａ）戸先側戸車ユニットの分解斜視図、（Ｂ）戸尻側戸車ユニットの分解斜視図である。
【図５】上部ガイドを示す分解斜視図である。
【図６】上部ガイドを示す組立斜視図である。
【図７】下部ガイドを示す分解斜視図である。
【図８】下部ガイドを示す組立斜視図である。
【図９】（Ａ）引戸に備えるガイドケースを示す斜視図、（Ｂ）ガイドケースのローラ挿通ガイドを示す斜視図である。
【図１０】引戸構造体を引戸の全開状態で示す斜視図である。
【図１１】引戸構造体を引戸の全開状態で示す正面図である。
【図１２】引戸構造体を引戸の全開状態で示す平面図である。
【図１３】引戸構造体を引戸の全開状態で示す側面図である。
【図１４】引戸構造体を引戸の閉止途中の状態で示す斜視図である。
【図１５】引戸構造体を引戸の閉止途中の状態で示す正面図である。
【図１６】引戸構造体を引戸の閉止途中の状態で示す平面図である。
【図１７】引戸構造体を引戸の閉止途中の状態で示す側面図である。
【図１８】引戸構造体を引戸の引寄せ閉状態で示す正面図である。
【図１９】引戸構造体を引戸の引寄せ閉状態で示す平面図である。
【図２０】引戸構造体を引戸の引寄せ閉状態で示す側面図である。
【図２１】（Ａ）引戸と床面間の隙間を塞ぐシール手段をシール材の収納状態で示す縦断面図、（Ｂ）Ａ図中線ａ−ａ断面図である。
【図２２】（Ａ）シール手段をシール材が突出した使用状態で示す縦断面図、（Ｂ）Ａ図中線ｂ−ｂ断面図である。
【発明を実施するための形態】
【００１５】
以下、図面を参照しつつ、本発明の実施形態について説明する。
【００１６】
図１は、本発明の引戸装置を適用した引戸構造体を引戸の引寄せ閉止状態で示す斜視図である。図示例の引戸構造体は、戸枠Ｃの板状上枠部１０ａに引戸Ｄを開閉方向Ｘ・Ｙに移動自在に釣支し、特に閉時、本発明の引戸装置Ａにより、引戸Ｄが戸枠Ｃの戸尻側の壁１０ｂと重なる開位置から直進して閉位置に移動すると、引戸Ｄを戸枠Ｃ側に引き寄せて床面Ｆと戸枠Ｃ間にあいた開口部Ｓを閉止する構成になっている。
【００１７】
そのため、引戸装置Ａは、引戸Ｄを開閉方向Ｘ・Ｙに移動させる引戸レールＬと、引戸Ｄの上端面に組み付ける一対の戸車ユニットＴ１・Ｔ２と、引戸Ｄの上部側を案内する一対の上部ガイドＧ１・Ｇ２と、引戸Ｄの下部側を案内する下部ガイドＧ３を備える。
【００１８】
引戸Ｄは、木製で、下端面の長さ方向にガイド溝１１を凹設している。ガイド溝１１には、溝形状に合わせて断面コ形の細長いガイドケース１２（図２参照）を内装している。ガイドケース１２は、片側開口にローラ挿通ガイド１３を嵌着している。ローラ挿通ガイド１３は、ガイドケース１２に嵌合可能に角筒状をなす嵌合筒部１３ａと、嵌合筒部１３ａの一端にハ状に曲げて開脚したガイド板部１３ｂを設けてなる。
【００１９】
ガイドケース１２は、片側側面１２ａに細長いシート状のシール材４５を付設している（図１３参照）。シール材４５は、ゴムや合成樹脂等の弾性材からなり、先端片４５ａを引戸Ｄの下端面から突出させて撓み可能にガイドケース２１に取り付けている。なお、図示省略するが、引戸Ｄには、引戸レールＬに吊り込んだとき、開口部Ｓと対向する側の板面における上側側縁と左右側縁に沿って、例えばゴムや合成樹脂等の弾性材からなる気密材を接着している。
【００２０】
引戸レールＬは、断面形状が「形の長尺な固定部１５ａの片側側縁に凸条の走行レール部１５ｂと案内レール部１５ｃを互いに平行に設けてなる（図３参照）。案内レール部１５ｃは、走行レール部１５ｂに対して直角な向きに突設し、長手方向片側寄りに一定長さ凹状の段差部２０を設け、その段差部２０に一段低い段差ｈを形成している。段差部２０は、後述するが、引戸Ｄが閉位置にあるときに上部ガイドＧ１の案内ローラ３０・３５の双方が入り込める長さにわたり案内レール部１５ｃに凹設する。かかる形状の引戸レールＬは、段差部２０を開口部Ｓから離れる側に向けて、且つ、戸先側を下向きに傾斜させて、上枠部１０ａに固定して開閉方向Ｘ・Ｙに沿って敷設する。
【００２１】
戸車ユニットＴ１・Ｔ２は、図４および図５に示すように、固定プレート１６と、固定プレート１６に回動自在に枢着する高さサイズの異なる第１および第２ブラケット１７・１８と、ブラケット１７・１８の回動支点の横軸ｍと、両ブラケット１７・１８に回転自在に枢着する戸車２４・２５を備える。固定プレート１６は、金属板の片側側縁に切欠き穴１６ａを設ける一方。他側の側縁に管状に曲げ起こしたヒンジ部１６ｂを成形してなる。ブラケット１７・１８は、金属板をＬ形に曲げ起こし、片側の取付板部１７ａ・１８ａにヒンジ部１６ｂと対応する管状のヒンジ部１７ｂ・１８ｂを曲げ成形し、他側の支持板部１７ｃ・１８ｃの軸受穴１９に車軸２１の一端を嵌合して軸支する一方、車軸２１の他端をボス穴に嵌合して戸車２４・２５を回転自在に枢支している。戸車ユニットＴ２において、第２ブラケット１８は、上枠部１０ａに敷設した引戸レールＬの傾斜角度に対応させて、第１ブラケット１７より長さの長い金属板を折り曲げて支持板部１８ｃの高さを高く形成している。また、支持板部１８ｃには、図１に示すように、上枠部１０ａに固定したエアブレーキＥの突当盤２２が突き当たる受け部材２３を立設している。
【００２２】
そこで、第１戸車ユニットＴ１は、横軸ｍをヒンジ部１６ｂ・１７ｂに貫挿して固定プレート１６に対してブラケット１７を回動自在に連結して組み立て、横軸ｍを引戸Ｄと平行な向きにして固定プレート１６を引戸Ｄの上端面１４ａの戸先側に載せ、切欠き穴１６ａに吊ボルトを通して固定する。第２戸車ユニットＴ２は、横軸ｍをヒンジ部１６ｂ・１８ｂに貫挿して固定プレート１６に対してブラケット１８を回動自在に連結して組み立て、横軸ｍを引戸Ｄと平行な向きにして固定プレート１６を引戸Ｄの上端面１４ａの戸尻側に載せ、切欠き穴１６ａに吊ボルトを通して固定する。
【００２３】
上部ガイドＧ１・Ｇ２は、図６および図７に示すように、案内ローラ３０・３５と、ローラ軸２９と、案内ローラ３０・３５の取付カバー２８および載置台２７を備える。取付カバー２８は、金属板を全体にハット形に曲げ成形し、コ形状の本体部２８ａの両端にＬ形に延びる固定鍔部２８ｂを形成し、本体部２８ａの頂面２８ｃに軸受穴３１を設けている。軸受穴３１は、本体部２８ａの頂面２８ｃの片側側縁寄りに穿設している。載置台２７は、金属板を取付カバー２８の本体部２８ａより一段低いコ形に曲げ成形し、取付カバー２８側の軸受穴３１に対応させて、頂面２７ａの片側側縁寄りに軸挿通穴３２を設けている。
【００２４】
そこで、上部ガイドＧ１・Ｇ２は、取付カバー２８の本体部２８ａに案内ローラ３０・３５と載置台２７を嵌め込んでから、ローラ軸２９の一段細径な先端軸部２９ａを、載置台２７の軸挿通穴３２から案内ローラ３０の中心軸穴３３に通して取付カバー２８の軸受穴３１に係合し、案内ローラ３０を、載置台２７と取付カバー２８との間の所定高さ位置に、片側に外周部の一部が出っ張った状態でローラ軸２９を中心に回転自在に枢支する。そのうち上部ガイドＧ１は、図１に示すように、引戸Ｄの上端面１４ａに、戸車ユニットＴ１の戸尻側に所定薄さのアジャストプレート３４を挟んで載置し、固定鍔部２８ｂをねじ止めする。かかる戸先側の上部ガイドＧ１は、アジャストプレート３４として、引戸レールＬの傾斜角度に対応させて、戸尻側上部ガイドＧ２のアジャストプレート３６より薄い板材を用い、これを挟んで案内ローラ３０の高さ位置を戸尻側の案内ローラ３５より低く調節し、戸先側の案内ローラ３０が案内ローラ部１５ｃに当接する高さ位置に設定している。
【００２５】
他方、上部ガイドＧ２は、引戸Ｄの上端面１４ａにおいて、案内ローラ３５と上部ガイドＧ１の案内ローラ３０との間に引戸レールＬの段差部２０の長さに対応した一定の間隔をあけた位置で戸車ユニットＴ２の戸先側に、所定厚さのアジャストプレート３６を挟んで載置し、固定鍔部２８ｂをねじ止めする。戸尻側の上部ガイドＧ２は、アジャストプレート３６として、引戸レールＬの傾斜角度に対応させて、戸先側の上部ガイドＧ１のアジャストプレート３４より厚さの厚い板材を用い、これを挟んで案内ローラ３５の高さ位置を戸先側の案内ローラ３０より高く調節し、戸尻側の案内ローラ３５も案内ローラ部１５ｃに当接する高さ位置に設定している。
【００２６】
そこで、引戸装置Ａでは、上部ガイドＧ１・Ｇ２の案内ローラ３０・３５の出っ張り側を引戸レールＬに向け、戸車２５を走行レール部１５ｂ上に載せて係合させて、引戸Ｄを引戸レールＬに懸架し、これにより、引戸Ｄを、案内ローラ３０・３５が案内レール部１５ｃに当接した状態で開閉方向Ｘ・Ｙに移動自在に引戸レールＬで釣支すると共に、戸車ユニットＴ１・Ｔ２の横軸ｍを支点として開口部Ｓの開閉方向Ｘ・Ｙと直交する奥行方向Ｚに回動可能に釣支する。従って、引戸Ｄは、引戸レールＬに懸架したとき、自重によりブラケット１７・１８が横軸ｍを支点に傾動して引戸レールＬに寄り掛った状態で釣支される。
【００２７】
下部ガイドＧ３は、図７および図８に示すように、取付ベース３９と、ガイドリンク４０と、ガイドリンク４０の回動支点の縦軸ｎと、第１ガイドローラ５０および第２ガイドローラ５５を備える。取付ベース３９は、細長矩形な金属板で、長さ方向中心に軸取付穴３９ａを設ける一方、両端に固定位置調整用の長穴３９ｂを設けてなる。ガイドリンク４０は、細長い矩形の金属プレートで、長さ方向中央に軸挿通穴４１を設ける一方、両端に軸受穴４２・４３を設けてなる。ガイドローラ５０・５５は、段付きの取付軸４４とゴム製円筒体４６とワッシャ４７とからなり、軸受穴４２・４３に取付軸４４の一段細い下端軸部４４ａを通してカシメる一方、ゴム製円筒体４６に一段細い上端軸部４４ｂを嵌合させてから、上端軸部４４ｂにワッシャ４７を介してゴム製円筒体４６を回転自在に連結してなる。
【００２８】
そこで、下部ガイドＧ３は、図１に示すように引戸Ｄが閉位置にあるとき、引戸Ｄの戸尻側木口６０の真下位置に、図８に示す縦軸ｎの軸取付穴３９ａを合わせて、取付べース３９を開口部Ｓの開閉方向Ｘ・Ｙと直交する奥行方向Ｚに向けて床面Ｆに載置し、図９に示すように、木ネジ４８を長穴３９ｂに通して固定する。次いで、下部ガイドＧ３では、縦軸ｎを、図８に示すように、上ワッシャ５１とガイドリンク４０の軸挿通穴４１と下ワッシャ５２の順に挿通し、先端軸部を軸取付穴３９ａに通してカシメ、ガイドリンク４０を、縦軸ｎを支点として回動自在に取付ベース３９に枢着し、ガイドローラ５０・５５の双方をガイド溝１１に係合させて床面Ｆに組み付ける。従って、下部ガイドＧ３は、ガイド溝１１にガイドローラ５０・５５の双方が係合したガイドリンク４０で、開閉時に引戸Ｄの下部側が横振れしないで開閉方向Ｘ・Ｙに直進するように案内するが、図１に示すように、引戸Ｄが閉位置に移動すると、戸先側の第１ガイドローラ５０がガイド溝１１に係合する一方、戸尻側のガイドローラ５５はガイド溝１１の戸尻側開口５９から抜けて外れ出た位置にあるため、引戸Ｄが開口部Ｓの高さ方向に起立した縦軸ｎを支点として、ガイドリンク４０を介して開口部Ｓの奥行方向Ｚにも回動可能な構成になっている。
【００２９】
さて、上述した構成の引戸装置Ａでは、例えばバーハンドル（図示省略）を手で持ち、引戸Ｄを、図１０〜図１３に示すように、戸尻側の壁１０ｂと重なる開位置に止めて保持し、開口部Ｓを全開してから、再び閉止する場合には、バーハンドルから手を離すと、引戸Ｄは、引戸レールＬの傾きに従い、自重により寄り掛った走行レール部１５ｂ上で戸車２４・２５を回転しながら閉方向Ｙへと自動的に傾動する。この引戸Ｄの傾動途中では、図１４〜図１７に示すように、戸車ユニットＴ１・Ｔ２の戸車２４・２５が係合して回転しながら走行レール部１５ｂを走行する一方、上部ガイドＧ１・Ｇ２の案内ローラ３０・３５が当接して回転しながら案内レール部１５ｃを走行し、これにより、引戸Ｄが上部側を横振することなく直進するように閉方向Ｙへ案内すると同時に、ガイド溝１１に下部ガイドＧ３のガイドローラ５０・５５の双方が係合してガイドリンク４０が回動規制状態にあるため、下部側においても横振れすることなく直進するように閉方向Ｙに案内する。
【００３０】
しかる後、引戸装置Ａでは、引戸Ｄが、図１、図１８〜図２０に示すように閉位置に到達すると、引戸Ｄの上部側において、上部ガイドＧ１・Ｇ２の案内ローラ３０・３５の双方が案内レール部１５ｃの段差部２０と対向する。すると、そのとき、引戸Ｄは、上部側において、開口部Ｓの開閉方向Ｘ・Ｙと平行に軸支した横軸ｍを支点として、開口部Ｓの奥行方向Ｚに回動可能に引戸レールＬに寄り掛っていると共に、下部側において、下部ガイドＧ３の戸先側ガイドローラ５０がガイド溝１１に係合する一方、戸尻側ガイドローラ５５がガイド溝１１から抜け出て外れた位置にあるので、開口部Ｓの高さ方向に起立したガイドリンク４０の縦軸ｎを支点として、開口部Ｓの奥行方向Ｚに回動可能であるため、自重により、横軸ｍと縦軸ｎを支点として開口部Ｓの奥行方向Ｚ戸枠Ｃ側にスイングして引き寄せられる。その結果、引戸Ｄは、上側と左右両側の三方側縁を、前記気密材を介して戸枠Ｃに押し付けて戸枠に密着し、下側は、シール材４５で床面Ｆとの間の隙間を塞ぐことにより引戸Ｄの四方側縁を戸枠Ｃに気密に密着させて開口部Ｓを密閉状態で閉止する。
【００３１】
この閉時、図示引戸装置Ａでは、引戸レールＬを、戸先側を下向きに傾斜させて戸枠Ｃの上枠部１０ａに固定する一方、引戸Ｄには、シール材４５を、その先端片４５ａが下端面から突出した状態で付設するため、引戸Ｄが引戸レールＬの傾きに従って傾動する途中では、出っ張った先端片４５ａが床面Ｆに当って移動抵抗になることがなく、一方で、閉位置に至ると同時に、突出した先端片４５ａが床面Ｆに当たり、引戸Ｄと床面Ｆとの間の隙間を確実に塞ぐことができる。従って、図示例の引戸装置Ａでは、閉時、引戸Ｄが閉位置に到達したことを検知する検知機構や、検知結果に基づいてシール材を昇降させるシャッタ機構等の複雑な機構を必要とすることがなく、シール材を付設するだけの簡略な構成により極めて廉価に引戸の下部の気密性を実現させることができる。
【００３２】
引戸Ｄを開ける場合は、前記バーハンドルを手で持って、いま自重により戸枠Ｃに寄り掛った状態で閉位置にある引戸Ｄを、手前に引き起こし、上部ガイドＧ１・Ｇ２の案内ローラ３０・３５を引戸レールＬの段差部２０から引き出してから、開方向Ｘへ引き戻す。すると、引戸Ａは、引戸レールＬの走行レール部１５ｂ上で戸車２４・２５を回転しながら走行して開方向Ｘへ上向きに傾動する。引戸Ｄの傾動途中では、戸車２４・２５が係合して回転しながら走行レール部１５ｂを走行する一方、上部ガイドＧ１・Ｇ２の案内ローラ３０・３５が当接して回転しながら案内レール部１５ｃを走行し、引戸Ｄを、上部側を横振れさせることなく直進すると同時に、ガイド溝１１に下部ガイドＧ３のガイドローラ５０・５５の双方が係合して回動規制状態にあるガイドリンク４０で、下部側を横振れさせることなく直進するように閉方向Ｙに案内し、開口部Ｓを開放する。
【００３３】
ところで、上述した図示実施の形態において、引戸装置Ａは、引戸Ｄのガイド溝１１に内設したガイドケース１２の片側側面１２ａにシール材４５を固定的に付設し、引戸Ｄが閉位置に移動すると、突出した先端片４５ａが床面Ｆに当たり、引戸Ｄと床面Ｆとの間の隙間を塞ぐように構成するが、この引戸と床面間の隙間は、引戸を設置する部屋等によっては、通気性を重視して大きく開けている場合もあれば、反対に、気密性を重視して僅かしか開けていない場合もあるため、シール材を固定的に付設していると、隙間の大きさよっては、シール材の先端片が床面に届かず、確実に隙間をシールできなかったり、反対に床面に強く当たり過ぎてシール材が破損したりするなどの不具合を発生することが考えられる。
【００３４】
そこで、本発明の引戸装置Ａは、図２１および図２２に示すように、引戸Ｄが閉位置に移動すると、床面Ｆとの間の隙間の大きさの違いに関係なく、その隙間をシール材で塞ぐシール手段Ｒを備えた構成にすることもできる。
【００３５】
シール手段Ｒは、ゴムや合成樹脂等の弾性材からなるシール材６５と、シール材６５を吊持する吊持部材のワイヤー６６と、シール材６５の一対の付勢ばね６７・６７と、引戸Ｄと床面Ｆとの間の隙間に合わせてシール材６５の吊持高さ位置を調整する一対の高さ調整具６８・６９を備える。
【００３６】
シール材６５は、細長いシート状をなし、先端片６５ａを撓みやすいように薄肉に形成する一方、基端部６５ｂを一段厚肉に形成し、その基端部６５ｂには、それを長手方向に貫いた細いワイヤー通し穴６１を穿設すると共に、基端部４５ｂの上側側縁に沿ってばね係止溝６５ｃをワイヤー通し穴６１と平行に凹設してなる。高さ調整具６８・６９は、それぞれねじロック部材６２と、調整ねじ６３と、スライドピース６４を備える。ねじロック部材６２は、取付板部６２ａの片側側縁に、調整ねじ６３のねじ軸部６３ａの長さに対応する間隔をあけて抜止めリング部６２ｂ・６２ｂを突設してなる。スライドピース６４は、雌ねじ穴６４ａとワイヤー留め穴６４ｂを平行に設けてなる。高さ調整具６８・６９は、ねじロック部材６２の抜止めリング部６２ｂ・６２ｂに調整ねじ６３を挿通し、ねじ軸部６３ａに雌ねじ穴６４ａを介してスライドピース６４を螺着し、ねじ軸部６３ａの先端に止めナット７０を螺着して調整ねじ６３を軸方向へは移動規制状態で回転自在に保持してなる。
【００３７】
そこで、シール手段Ｒは、ガイドケース１２の片側側面１２ａに付勢ばね６７・６７を長さ方向に間隔をあけて取り付ける。一方、シール材６５には、ワイヤー通し穴６１にワイヤー６６を貫挿し、その一端をワイヤー留め穴６４ｂに通して一方の高さ調整具６８に掛け止め、他端をワイヤー留め穴６４ｂに通して他方の高さ調整具６９に掛け止める。それから、シール材６５のばね係止溝６５ｃに付勢ばね６７・６７を係止し、高さ調整具６８・６９のねじロック部材６２をガイドケース１２の両端開口近くで片側側面１２ａにねじ止めしてガイドケース１２に組み付ける。すると、シール材６５の先端片６５ａがガイドケース１２から突出する下向きに働く付勢ばね６７・６７の付勢力でワイヤー６６が高さ調整具６８・６９間に張り渡され、その緊張状態のワイヤー６６でシール材６５がガイドケース１２の深さ方向に付勢ばね６７・６７に抗して昇降可能に吊持される。こうしてシール手段Ｒを吊設したガイドケース１２をガイド溝１１に嵌め込んでねじ止めすることにより、シール手段Ｒをガイド溝１１に内設する。
【００３８】
そこで、図示他例の引戸装置Ａでは、引戸Ｄの初期設置時に、予め、引戸Ｄを閉位置に移動させてから、高さ調整具６８・６９をガイド溝１１の外から操作し、閉位置における引戸Ｄと床面Ｆとの間の隙間に合わせてシール材６５の吊持高さ位置を調整しておき、その後、使用時に引戸Ｄが閉位置に移動したとき、高さ調整したシール材６５の先端片６５ａが床面Ｆに当接し、引戸Ｄと床面Ｆ間の隙間が確実に塞がるようにする。高さ調整具６８・６９の操作は、外側から、例えばドライバを用いて調整ねじ６３をねじ回すことにより行う。調整ねじ６３をねじ回すと、調整ねじ６３がねじロック部材６２で軸方向の移動規制状態にあるため、ねじ回し方向に応じて、調整ねじ６３のねじ軸部６３ａに螺合したスライドピース６４がねじ軸部６３ａ上を直線的に移動し、その移動長さに従ってスライドピース６４に掛け止めたワイヤー６６の張り具合が調節され、これにより、ワイヤー６３で吊持したシール材６５の高さ位置を、閉位置における引戸Ｄと床面Ｆ間の隙間に合わせて簡単に調整することができる。
【００３９】
従って、図示他例の引戸装置Ａによれば、引戸Ｄを吊り込むときは、予め、閉位置における引戸Ｄと床面Ｆ間の隙間に合わせてシール材６５の吊持高さ位置を調整しておき、後の使用時に、引戸Ｄが引戸レールＬの傾きに従って閉位置に移動したときは、先端片６５ａが床面Ｆに当って引戸Ｄと床面Ｆ間の隙間が塞がれるようにする構成であるため、引戸を吊り込む部屋等によって床面との間の隙間に大きさの違いがあっても、そのバラツキに何ら関係なく、引戸の閉位置では床面との間の隙間を確実にシールすることができる。
【符号の説明】
【００４０】
Ａ                引戸
Ｃ                戸枠
Ｇ１・Ｇ２        上部ガイド
Ｇ３              下部ガイド
Ｆ                床面
Ｌ                引戸レール
Ｒ                シール手段
Ｓ                開口部
Ｔ１・Ｔ２        戸車ユニット
Ｘ                開方向
Ｙ                閉方向
Ｚ                奥行方向
ｍ                横軸
ｎ                縦軸
ｈ                段差
１０ａ            上枠部
１０ｂ            戸尻側の壁
１１              引戸のガイド溝
１５ｂ            走行レール部
１５ｃ            案内レール部
２０              段差部
２４・２５        戸車
３０・３５        案内ローラ
４０              ガイドリンク
４５・６５        シール材
５０・５５        ガイドローラ
４０              ガイドリンク
５０・５５        ガイドローラ
６６              ワイヤー（吊持部材）
６７              付勢ばね
６８・６９        高さ調整具
【図１】
2011122310.tif 000003
【図２】
2011122310.tif 000004
【図３】
2011122310.tif 000005
【図４】
2011122310.tif 000006
【図５】
2011122310.tif 000007
【図６】
2011122310.tif 000008
【図７】
2011122310.tif 000009
【図８】
2011122310.tif 000010
【図９】
2011122310.tif 000011
【図１０】
2011122310.tif 000012
【図１１】
2011122310.tif 000013
【図１２】
2011122310.tif 000014
【図１３】
2011122310.tif 000015
【図１４】
2011122310.tif 000016
【図１５】
2011122310.tif 000017
【図１６】
2011122310.tif 000018
【図１７】
2011122310.tif 000019
【図１８】
2011122310.tif 000020
【図１９】
2011122310.tif 000021
【図２０】
2011122310.tif 000022
【図２１】
2011122310.tif 000023
【図２２】
2011122310.tif 000024